(57)【要約】【課題】羽根が見えない送風装置が動いているかどうかが、一目でがわかる。【解決手段】第１のノズル３Ａは、筐体２の前後方向における一方側に第１の吹出口９Ａを有し、第２のノズル３Ｂは、筐体２の前後方向における一方側に第２の吹出口９Ｂを有している。高圧空気発生部４によって、吸込口６から吸い込まれた空気が、第１のノズル３Ａ内から第１の吹出口９Ａへ送風される第１の風路２０Ａと、第２のノズル３Ｂ内から第２の吹出口９Ｂへ送風される第２の風路とを備えている。制御部２２は、高圧空気発生部４を動作させる場合には、第１の発光部２１Ａを発光させ、第１の発光部２１Ａからの光が第１の貫通路８Ａを形成する面に当たる。【選択図】図１
2020051298.tif 000002
【特許請求の範囲】
【請求項１】
吸込口を設けた略箱形状の筐体と、
前記筐体の天面から延び、前記筐体の左右方向における一方側に配置された第１のノズルと、
前記筐体の天面から延び、前記筐体の左右方向における他方側に配置された第２のノズルと、
前記第１のノズルと前記第２のノズルの上部には、前記第１のノズルと前記第２のノズルとを連結する連結部と、
前記筐体と、前記第１のノズルと、前記連結部と、前記第２のノズルとに囲まれた第１の貫通路と、
前記筐体内に設けた高圧空気発生部と、
前記第１の貫通路を形成する面に設けた第１の発光部と、
前記高圧空気発生部と前記第１の発光部とを制御する制御部とを備え、
前記第１のノズルは、前記筐体の前面側に第１の吹出口を有し、
前記第２のノズルは、前記筐体の前面側に第２の吹出口を有し、
前記高圧空気発生部によって、前記吸込口から吸い込まれた空気が、前記第１のノズル内から前記第１の吹出口へ送風される第１の風路と、
前記高圧空気発生部によって、前記吸込口から吸い込まれた空気が、前記第２のノズル内から前記第２の吹出口へ送風される第２の風路とを備え、
前記制御部は、前記高圧空気発生部を動作させる場合には、前記第１の発光部を発光させ、前記第１の発光部からの光が前記第１の貫通路を形成する面に当たることを特徴とする送風装置。
【請求項２】
前記第１の発光部は、前記第１の貫通路における下部に配置され、
前記第１の発光部からの光は、上方へ照射されることを特徴とする請求項１に記載の送風装置。
【請求項３】
前記連結部における前記第１の貫通路を形成する面は、
前記筐体における前面側より背面側が上がるように傾斜していることを特徴とする請求項２に記載の送風装置。
【請求項４】
前記第１のノズルと前記第２のノズルにおける前記第１の貫通路を形成する面は、
前記筐体における背面側の前記第１のノズルと前記第２のノズルとの距離が、前記筐体における前面側の前記第１のノズルと前記第２のノズルとの距離より広がるように傾斜していることを特徴とする請求項２または３に記載の送風装置。
【請求項５】
前記第１の貫通路を形成する面の色は、白色系であることを特徴とする請求項１から４のいずれかに記載の送風装置。
【発明の詳細な説明】
【技術分野】
【０００１】
本発明は、送風装置に関するものである。
【背景技術】
【０００２】
従来、この種の送風装置においては、吸込口を設けた略箱形状の筐体と、筐体の天面から延び、第１の吹出口を有する第１のノズルと、筐体の天面から延び、第２の吹出口を有する第２のノズルと、筐体内に設けた高圧空気発生部とを有していた。高圧空気発生部は、スクロール形状のケーシングと、ケーシングに固定されたモータと、モータによって回転する羽根車とを有していた。ケーシングは、側面に給気口を有し、天面には吐出口を有し、給気口は、筐体の背面に対向していた。高圧空気発生部によって、吸込口から吸い込まれた空気は、第１のノズル内を介して、第１の吹出口と、第２のノズル内を介して、第２の吹出口とへ送風される構成であった。
【先行技術文献】
【特許文献】
【０００３】
【特許文献１】特開２０１７−１１５６２９号公報
【発明の概要】
【発明が解決しようとする課題】
【０００４】
このような従来の送風装置においては、羽根が見えないため一目で動いているかどうかがわかりにくかった。
【０００５】
そこで本発明は、上記従来の課題を解決するものであり、一目で動いているかどうかがわかる送風装置を提供することを目的とする。
【課題を解決するための手段】
【０００６】
そして、この目的を達成するために、本発明の一態様に係る送風装置は、吸込口を設けた略箱形状の筐体と、前記筐体の天面から延び、前記筐体の左右方向における一方側に配置された第１のノズルと、前記筐体の天面から延び、前記筐体の左右方向における他方側に配置された第２のノズルと、前記第１のノズルと前記第２のノズルの上部には、前記第１のノズルと前記第２のノズルとを連結する連結部と、前記筐体と、前記第１のノズルと、前記連結部と、前記第２のノズルとに囲まれた第１の貫通路と、前記筐体内に設けた高圧空気発生部と、前記第１の貫通路に設けた第１の発光部と、前記高圧空気発生部と前記第１の発光部とを制御する制御部とを備え、前記第１のノズルは、前記筐体の前面側に第１の吹出口を有し、前記第２のノズルは、前記筐体の前面側に第２の吹出口を有し、前記高圧空気発生部によって、前記吸込口から吸い込まれた空気が、前記第１のノズル内から前記第１の吹出口へ送風される第１の風路と、前記高圧空気発生部によって、前記吸込口から吸い込まれた空気が、前記第２のノズル内から前記第２の吹出口へ送風される第２の風路とを備え、前記制御部は、前記高圧空気発生部を動作させる場合には、前記第１の発光部を発光させ、前記第１の発光部からの光が前記第１の貫通路を形成する面に当たることを特徴としたものであり、これにより所期の目的を達成するものである。
【発明の効果】
【０００７】
本発明によれば、一目で動いているかどうかがわかる送風装置を提供することができる。
【図面の簡単な説明】
【０００８】
【図１】本発明の実施の形態１の送風装置の前面側から見た斜視図
【図２】同送風装置の背面側から見た斜視図
【図３】同送風装置の第１のノズルと筐体の内部を示す図
【図４】同送風装置の断面図
【図５】同送風装置の筐体の内部の第１の発光部と第２の発光部と第３の発光部とを示す図
【図６】同送風装置の断面図
【図７】同送風装置の機能ブロックを示す図
【発明を実施するための形態】
【０００９】
以下、本発明の実施の形態について図面を参照しながら説明する。
【００１０】
（実施の形態１）
図１は、送風装置の斜視図であり、送風装置の前面側から見た図である。図２は、送風装置の斜視図であり、送風装置の背面側から見た図である。図３は、送風装置の第１のノズルと筐体の内部を示す図であり、送風装置の側面側から見た図である。図４は、送風装置の断面図であり、送風装置の側面側から見た図である。
【００１１】
図１、図２、図３、図４に示すように、送風装置１は、筐体２と、第１のノズル３Ａと、第２のノズル３Ｂと、第３のノズル３Ｃと、第４のノズル３Ｄと、高圧空気発生部４と、風向変更ユニット５とを備えている。
【００１２】
筐体２は、略箱状であり、筐体２における背面側に、四角形状の吸込口６を有している。筐体２の天面からは、筒形状の第１のノズル３Ａと第２のノズル３Ｂと第３のノズル３Ｃと第４のノズル３Ｄが上方へ延びている。
【００１３】
第１のノズル３Ａと第２のノズル３Ｂと第３のノズル３Ｃと第４のノズル３Ｄは、筐体の左右方向における一方側（図１では、筐体における前面側から見て左側）から筐体の左右方向における他方側（図１では、筐体における前面側から見て右側）に順次配置されている。
【００１４】
隣り合った第１のノズル３Ａと第２のノズル３Ｂ、第２のノズル３Ｂと第３のノズル３Ｃ、第３のノズル３Ｃと第４のノズル３Ｄとの間には、所定の距離を有している。第１のノズル３Ａの上端部と、第２のノズル３Ｂの上端部と、第３のノズル３Ｃの上端部と、第４のノズル３Ｄの上端部は、連結部７によって、連結されている。
【００１５】
送風装置１は、第１の貫通路８Ａと、第２の貫通路８Ｂと、第３の貫通路８Ｃとを有している。第１の貫通路８Ａは、連結部７と、第１のノズル３Ａと、第２のノズル３Ｂと、筐体２とに囲まれた空間である。第２の貫通路８Ｂは、第２のノズル３Ｂと、第３のノズル３Ｃと、筐体２とに囲まれた空間である。第３の貫通路８Ｃは、第３のノズル３Ｃと、第４のノズル３Ｄと、筐体２とに囲まれた空間である。なお、筐体２と、第１のノズル３Ａと、第２のノズル３Ｂと、第３のノズル３Ｃと、第４のノズル３Ｄと、連結部７とは、一体で形成している。筐体２内の空間は、第１のノズル３Ａ内の空間と、第２のノズル３Ｂ内の空間と、第３のノズル３Ｃ内の空間と、第４のノズル３Ｄ内の空間とに連通している。
【００１６】
第１のノズル３Ａは、筐体２における前面側に、第１の吹出口９Ａを有している。同様に、第２のノズル３Ｂは筐体２における前面側に第２の吹出口９Ｂを、第２のノズル３Ｂは筐体２における前面側に第３の吹出口９Ｃを、第４のノズル３Ｄは筐体２における前面側に第４の吹出口９Ｄを有している。第１の吹出口９Ａと第２の吹出口９Ｂと第３の吹出口９Ｃと第４の吹出口９Ｄとは、縦長四角形状の開口である。なお、第１のノズル３Ａの前面と、第２のノズル３Ｂの前面と、第３のノズル３Ｃの前面と、第４のノズル３Ｄの前面と、筐体２の前面とは、同一面に配置されている。
【００１７】
高圧空気発生部４は、ケーシング１０と、モータ１１と、羽根車１２とを備えている。
【００１８】
ケーシング１０は、スクロール形状であり、側面には給気口１３を有し、天面には吐出口１４を有している。
【００１９】
モータ１１は、ケーシング１０におけるモータ面１６に固定され、モータ１１からケーシング１０内へ水平方向に回転軸（図示せず）が延びている。回転軸には、羽根車１２が固定されている。モータ１１によって羽根車１２が回転すると、給気口１３から空気が吸い込まれ、吐出口１４から吸い込まれた空気が吹き出す。
【００２０】
送風装置１は、第１の風路２０Ａと、第２の風路（図示せず）と、第３の風路（図示せず）と、第４の風路（図示せず）とを備えている。
【００２１】
第１の風路２０Ａは、高圧空気発生部４によって、筐体２の吸込口６から吸い込まれた空気が、高圧空気発生部４、第１のノズル３Ａ内を順次介して、第１の吹出口９Ａへ送風される風路である。
【００２２】
第２の風路は、高圧空気発生部４によって、筐体２の吸込口６から吸い込まれた空気が、高圧空気発生部４、第２のノズル３Ｂ内を順次介して、第２の吹出口９Ｂへ送風される風路である。
【００２３】
第３の風路は、高圧空気発生部４によって、筐体２の吸込口６から吸い込まれた空気が、高圧空気発生部４、第３のノズル３Ｃ内を順次介して、第３の吹出口９Ｃへ送風される風路である。
【００２４】
第４の風路は、高圧空気発生部４によって、筐体２の吸込口６から吸い込まれた空気が、高圧空気発生部４、第４のノズル３Ｄ内を順次介して、第４の吹出口９Ｄへ送風される風路である。
【００２５】
このように、高圧空気発生部４によって、筐体２の吸込口６から吸い込まれた空気が、第１の吹出口９Ａと、第２の吹出口９Ｂと、第３の吹出口９Ｃと、第４の吹出口９Ｄとから空気が吹き出すことによって、第１の貫通路８Ａと、第２の貫通路８Ｂと、第３の貫通路８Ｃとから空気が誘引される。これらの誘引された空気が、第１の吹出口９Ａと第２の吹出口９Ｂと第３の吹出口９Ｃと第４の吹出口９Ｄとから吹き出す空気と共に、前方へ送風される。
【００２６】
図５は、送風装置の筐体の内部の第１の発光部と第２の発光部と第３の発光部とを示す図である。図６は、送風装置の第１の発光部と筐体の断面図であり、送風装置の側面側から見た図である。図７は、送風装置の機能ブロックを示す図である。
【００２７】
図１、図５、図６、図７に示すように、第１の貫通路８Ａには第１の発光部２１Ａを設け、第２の貫通路８Ｂには第２の発光部２１Ｂを設け、第３の貫通路８Ｃには第３の発光部２１Ｃを設けている。筐体２内には高圧空気発生部４と、第１の発光部２１Ａと、第２の発光部２１Ｂと、第３の発光部２１Ｃと、を制御する制御部２２を備えている。本実施形態における特徴は、制御部２２は、操作部２３からの入力によって、高圧空気発生部４が運転する場合には、第１の発光部２１Ａを発光させ、第１の発光部２１Ａからの光が第１の貫通路８Ａを形成する面に当たり、第２の発光部２１Ｂを発光させ、第２の発光部２１Ｂからの光が第２の貫通路８Ｂを形成する面に当たり、第３の発光部２１Ｃを発光させ、第３の発光部２１Ｃからの光が第３の貫通路８Ｃを形成する面に当たる点である。第１の発光部２１Ａ、第２の発光部２１Ｂ、第３の発光部２１Ｃの一例は、発光ダイオード（ＬＥＤ）である。このように、第１の貫通路８Ａ、第２の貫通路８Ｂ、第３の貫通路８Ｃを形成する面に光が当たることによって、送風装置が運転している状態が一目で分かる。
【００２８】
具体的には、第１の発光部２１Ａは、第１の貫通路８Ａにおける下部である第１の貫通路８Ａを形成する面における筐体２の天面に配置され、第１の発光部２１Ａからの光は、上方へ照射される。同様に、第２の発光部２１Ｂは、第２の貫通路８Ｂにおける下部である第２の貫通路８Ｂを形成する面における筐体の天面に配置され、第２の発光部２１Ｂからの光は、上方へ照射される。第３の発光部２１Ｃは、第３の貫通路８Ｃにおける下部である第３の貫通路８Ｃを形成する面における筐体の天面に配置され、第３の発光部２１Ｃからの光は、上方へ照射される。なお、発光ダイオードから出る光は、所定の指向角を有し、この所定の指向角である角度で広がりながら発光ダイオード（ＬＥＤ）から光が出る。このように、第１の発光部２１Ａ、第２の発光部２１Ｂ、第３の発光部２１Ｃからの光が、広がりながら上方へ照射されるので、筐体２における前面側に使用者が居る場合に、使用者がまぶしく感じることを低減できる。なお、指向角の一例は、１５度から３０度である。
【００２９】
また、連結部７における第１の貫通路８Ａを形成する面は、筐体２における前面側より背面側が上がるように傾斜している。これにより、第１の貫通路８Ａ下部の第１の発光部２１Ａからの光が、第１の貫通路８Ａを形成する面である連結部７の下面７Ａに当たると、筐体２における前面側には反射し難く、筐体２における前面側に使用者が居る場合に、使用者がまぶしく感じることを低減できる。更に、筐体２における背面側の第１の貫通路８Ａの開口面積は、筐体２における前面側の第１の貫通路８Ａの開口面積より大きいので、第１のノズル３Ａと第２のノズル３Ｂから吹き出す空気によって、第１の貫通路８Ａ内に空気が誘引され易い。
【００３０】
また、同様に、連結部７における第２の貫通路８Ｂを形成する面は、筐体２における前面側より背面側が上がるように傾斜している。これにより、第２の貫通路８Ｂ下部の第２の発光部２１Ｂからの光が、第２の貫通路８Ｂを形成する面である連結部７の下面（図示せず）に当たると、筐体２における前面側には反射し難く、筐体２における前面側に使用者が居る場合に、使用者がまぶしく感じることを低減できる。更に、筐体２における背面側の第２の貫通路８Ｂの開口面積は、筐体２における前面側の第２の貫通路８Ｂの開口面積より大きいので、第２のノズル３Ｂと第３のノズル３Ｃから吹き出す空気によって、第２の貫通路８Ｂ内に空気が誘引され易い。
【００３１】
また、同様に、連結部７における第３の貫通路８Ｃを形成する面は、筐体２における前面側より背面側が上がるように傾斜している。これにより、第３の貫通路８Ｃ下部の第３の発光部２１Ｃからの光が、第３の貫通路８Ｃを形成する面である連結部７の下面（図示せず）に当たると、筐体における前面側には反射し難く、筐体２における前面側に使用者が居る場合に、使用者がまぶしく感じることを低減できる。更に、筐体２における背面側の第３の貫通路８Ｃの開口面積は、筐体２における前面側の第３の貫通路８Ｃの開口面積より大きいので、第３のノズル３Ｃと第４のノズル３Ｄから吹き出す空気によって、第３の貫通路８Ｃ内に空気が誘引され易い。
【００３２】
また、第１のノズル３Ａと第２のノズル３Ｂにおける第１の貫通路８Ａを形成する面は、筐体２における背面側の第１のノズル３Ａと第２のノズル３Ｂとの距離が、筐体２における前面側の第１のノズル３Ａと第２のノズル３Ｂとの距離より広がるように傾斜している。第１の貫通路８Ａを形成する面における第１のノズル３Ａと第２のノズル３Ｂとの距離は、筐体２における前面側から背面側に向かうにつれて、徐々に大きくなる。図２の第１の貫通路８Ａの水平方向の寸法は、図１の第１の貫通路８Ａの水平方向の寸法より大きい。筐体２における背面側から第１のノズル３Ａと第２のノズル３Ｂを見ると、第１のノズル３Ａにおける第１の貫通路８Ａを形成する面と、第２のノズル３Ｂにおける第１の貫通路８Ａを形成する面とが、見える。
【００３３】
これにより、第１の貫通路８Ａ下部の第１の発光部２１Ａからの光が、第１の貫通路８Ａを形成する面である第１のノズル３Ａの面と第２のノズル３Ｂの面とに当たると、筐体２における前面側には反射し難く、筐体２における前面側に使用者が居る場合に、使用者がまぶしく感じることを低減できる。更に、筐体２における背面側の第１の貫通路８Ａの開口面積は、筐体２における前面側の第１の貫通路８Ａの開口面積より大きいので、第１のノズル３Ａと第２のノズル３Ｂから吹き出す空気によって、第１の貫通路８Ａ内に空気が誘引され易い。
【００３４】
また、同様に、第２のノズル３Ｂと第３のノズル３Ｃにおける第２の貫通路８Ｂを形成する面は、筐体２における背面側の第２のノズル３Ｂと第３のノズル３Ｃとの距離が、筐体２における前面側の第２のノズル３Ｂと第３のノズル３Ｃとの距離より広がるように傾斜している。第２の貫通路８Ｂを形成する面における第２のノズル３Ｂと第３のノズル３Ｃとの距離は、筐体２における前面側から背面側に向かうにつれて、徐々に大きくなる。図２の第２の貫通路８Ｂの水平方向の寸法は、図１の第２の貫通路８Ｂの水平方向の寸法より大きい。筐体２における背面側から第２のノズル３Ｂと第３のノズル３Ｃを見ると、第２のノズル３Ｂにおける第２の貫通路８Ｂを形成する面と、第３のノズル３Ｃにおける第２の貫通路８Ｂを形成する面とが、見える。
【００３５】
これにより、第２の貫通路８Ｂ下部の第２の発光部２１Ｂからの光が、第２の貫通路８Ｂを形成する面である第２のノズル３Ｂの面と第３のノズル３Ｃの面とに当たると、筐体２における前面側には反射し難く、筐体２における前面側に使用者が居る場合に、使用者がまぶしく感じることを低減できる。更に、筐体２における背面側の第２の貫通路８Ｂの開口面積は、筐体２における前面側の第２の貫通路８Ｂの開口面積より大きいので、第２のノズル３Ｂと第３のノズル３Ｃから吹き出す空気によって、第２の貫通路８Ｂ内に空気が誘引され易い。
【００３６】
また、同様に、第３のノズル３Ｃと第４のノズル３Ｄにおける第３の貫通路８Ｃを形成する面は、筐体２における背面側の第３のノズル３Ｃと第４のノズル３Ｄとの距離が、筐体２における前面側の第３のノズル３Ｃと第４のノズル３Ｄとの距離より広がるように傾斜している。第３の貫通路８Ｃを形成する面における第３のノズル３Ｃと第４のノズル３Ｄとの距離は、筐体２における前面側から背面側に向かうにつれて、徐々に大きくなる。図２の第３の貫通路８Ｃの水平方向の寸法は、図１の第３の貫通路８Ｃの水平方向の寸法より大きい。筐体２における背面側から第３のノズル３Ｃと第４のノズル３Ｄを見ると、第３のノズル３Ｃにおける第３の貫通路８Ｃを形成する面と、第４のノズル３Ｄにおける第３の貫通路８Ｃを形成する面とが、見える。
【００３７】
これにより、第３の貫通路８Ｃ下部の第３の発光部２１Ｃからの光が、第３の貫通路８Ｃを形成する面である第３のノズル３Ｃの面と第４のノズル３Ｄの面とに当たると、筐体２における前面側には反射し難く、筐体２における前面側に使用者が居る場合に、使用者がまぶしく感じることを低減できる。更に、筐体２における背面側の第３の貫通路８Ｃの開口面積は、筐体２における前面側の第３の貫通路８Ｃの開口面積より大きいので、第３のノズル３Ｃと第４のノズル３Ｄから吹き出す空気によって、第３の貫通路８Ｃ内に空気が誘引され易い。
【００３８】
また、第１の貫通路８Ａと第２の貫通路８Ｂと第３の貫通路８Ｃを形成する面の色は、白色系である。これにより、第１の発光部２１Ａと第２の発光部２１Ｂと第３の発光部２１Ｃの光の色が、変化せずに光り易くなる。具体的には、第１の発光部２１Ａと第２の発光部２１Ｂと第３の発光部２１Ｃの光の色が、赤の場合は、第１の貫通路８Ａと第２の貫通路８Ｂと第３の貫通路８Ｃを形成する面も赤色に光る。
【産業上の利用可能性】
【００３９】
本発明に係る送風装置は、家庭用や事務所用などに使用される送風装置等として有用である。
【符号の説明】
【００４０】
１    送風装置
２    筐体
３Ａ    第１のノズル
３Ｂ    第２のノズル
３Ｃ    第３のノズル
３Ｄ    第４のノズル
４    高圧空気発生部
６    吸込口
７    連結部
８Ａ    第１の貫通路
８Ｂ    第２の貫通路
８Ｃ    第３の貫通路
９Ａ    第１の吹出口
９Ｂ    第２の吹出口
９Ｃ    第３の吹出口
９Ｄ    第４の吹出口
１０    ケーシング
１１    モータ
１２    羽根車
１３    給気口
２０Ａ    第１の風路
２１Ａ    第１の発光部
２１Ｂ    第２の発光部
２１Ｃ    第３の発光部
２２    制御部
２３    操作部
【図１】
2020051298.tif 000003
【図２】
2020051298.tif 000004
【図３】
2020051298.tif 000005
【図４】
2020051298.tif 000006
【図５】
2020051298.tif 000007
【図６】
2020051298.tif 000008
【図７】
2020051298.tif 000009